(57)【特許請求の範囲】
【請求項１】
移動局から無線基地局に対して複数のＨＡＲＱプロセスを用いて上りユーザデータを送信する移動通信システムにおける上りユーザデータの伝送制御方法であって、
無線回線制御局が、前記複数のＨＡＲＱプロセスのうち、スケジュールド送信プロセスが適用されるＨＡＲＱプロセス、非スケジュールド送信プロセスが適用されるＨＡＲＱプロセス、スケジュールド送信／非スケジュールド送信プロセスが適用されるＨＡＲＱプロセスを示す通知を前記移動局に対して送信する工程と、
前記移動局が、前記無線回線制御局から受信する通知に基づいて、前記無線基地局による送信割当に基づいて前記上りユーザデータを送信するスケジュールド送信及び前記無線基地局による送信割当に基づかずに前記上りユーザデータを送信する非スケジュールド送信の少なくとも一方を用いて前記上りユーザデータを前記無線基地局に対して送信する工程とを有しており、
前記スケジュールド送信プロセスでは、前記スケジュールド送信のみが許容されており、
前記非スケジュールド送信プロセスでは、前記非スケジュールド送信のみが許容されており、
前記スケジュールド送信／非スケジュールド送信プロセスでは、前記スケジュールド送信及び前記非スケジュールド送信が許容されていることを特徴とする上りユーザデータの伝送制御方法。
【請求項２】
移動局から無線基地局に対して複数のＨＡＲＱプロセスを用いて上りユーザデータを送信する移動通信システムで用いられる移動局であって、
前記複数のＨＡＲＱプロセスのうち、スケジュールド送信プロセスが適用されるＨＡＲＱプロセス、非スケジュールド送信プロセスが適用されるＨＡＲＱプロセス、スケジュールド送信／非スケジュールド送信プロセスが適用されるＨＡＲＱプロセスを示す通知を無線回線制御局から受信するように構成されている分類結果受信部と、
前記無線回線制御局から受信する通知に基づいて、前記無線基地局による送信割当に基づいて前記上りユーザデータを送信するスケジュールド送信及び前記無線基地局による送信割当に基づかずに前記上りユーザデータを送信する非スケジュールド送信の少なくとも一方を用いて前記上りユーザデータを前記無線基地局に対して送信するように構成されている上りユーザデータ送信部とを具備しており、
前記スケジュールド送信プロセスでは、前記スケジュールド送信のみが許容されており、
前記非スケジュールド送信プロセスでは、前記非スケジュールド送信のみが許容されており、
前記スケジュールド送信／非スケジュールド送信プロセスでは、前記スケジュールド送信及び前記非スケジュールド送信が許容されていることを特徴とする移動局。
【請求項３】
移動局から無線基地局に対して複数のＨＡＲＱプロセスを用いて上りユーザデータを送信する移動通信システムで用いられる無線基地局であって、
前記複数のＨＡＲＱプロセスのうち、スケジュールド送信プロセスが適用されるＨＡＲＱプロセス、非スケジュールド送信プロセスが適用されるＨＡＲＱプロセス、スケジュールド送信／非スケジュールド送信プロセスが適用されるＨＡＲＱプロセスを示す通知を無線回線制御局から受信するように構成されている分類結果受信部と、
前記無線回線制御局から受信する通知に基づいて、前記上りユーザデータの送信割当を行うように構成されている送信割当部とを具備しており、
前記スケジュールド送信プロセスでは、前記無線基地局による送信割当に基づいて前記上りユーザデータを送信するスケジュールド送信のみが許容されており、
前記非スケジュールド送信プロセスでは、前記無線基地局による送信割当に基づかずに前記上りユーザデータを送信する非スケジュールド送信のみが許容されており、
前記スケジュールド送信／非スケジュールドプロセスでは、前記スケジュールド送信及び前記非スケジュールド送信が許容されていることを特徴とする無線基地局。
【請求項４】
移動局から無線基地局に対して複数のＨＡＲＱプロセスを用いて上りユーザデータを送信する移動通信システムで用いられる無線回線制御局であって、
前記複数のＨＡＲＱプロセスのうち、スケジュールド送信プロセスが適用されるＨＡＲＱプロセス、非スケジュールド送信プロセスが適用されるＨＡＲＱプロセス、スケジュールド送信／非スケジュールド送信プロセスが適用されるＨＡＲＱプロセスを示す通知を前記移動局に対して送信する通知部を具備しており、
前記スケジュールド送信プロセスでは、前記無線基地局による送信割当に基づいて前記上りユーザデータを送信するスケジュールド送信のみが許容されており、
前記非スケジュールド送信プロセスでは、前記無線基地局による送信割当に基づかずに前記上りユーザデータを送信する非スケジュールド送信のみが許容されており、
前記スケジュールド送信／非スケジュールド送信プロセスでは、前記スケジュールド送信及び前記非スケジュールド送信が許容されていることを特徴とする無線回線制御局。
【発明の詳細な説明】
【技術分野】
【０００１】
本発明は、移動局から無線基地局に送信される上りユーザデータに対して複数プロセス
のＨＡＲＱを適用している移動通信システムにおける上りユーザデータの伝送制御方法、
及び、かかる伝送制御方法に用いられる移動局、無線基地局及び無線回線制御局に関する
。
【背景技術】
【０００２】
従来の移動通信システムでは、無線回線制御局ＲＮＣが、移動局ＵＥと無線基地局Ｎｏ
ｄｅＢとの間の個別物理チャネル（ＤＰＣＨ：Ｄｅｄｉｃａｔｅｄ  Ｐｈｙｓｉｃａｌ
Ｃｈａｎｎｅｌ）を設定する際に、当該無線基地局ＮｏｄｅＢの受信用ハードウエアリソ
ース（以下、ハードウエアリソース）や、上り無線リソース（上り干渉量）や、当該移動
局ＵＥの送信電力や、当該移動局ＵＥの送信処理性能や、上位のアプリケーションが必要
とする伝送速度等を鑑みて、上りユーザデータの伝送速度を決定し、当該移動局ＵＥ及び
当該無線基地局ＮｏｄｅＢのそれぞれに対して、レイヤ３（Ｒａｄｉｏ  Ｒｅｓｏｕｒｃ
ｅ  Ｃｏｎｔｒｏｌ  ｌａｙｅｒ）のメッセージとして通知するように構成されている。
【０００３】
ここで、無線回線制御局ＲＮＣは、無線基地局ＮｏｄｅＢの上位に存在し、無線基地局
ＮｏｄｅＢ及び移動局ＵＥを制御する装置である。
【０００４】
一方、データ通信では、音声通話やＴＶ通話の場合と比べて、トラフィックがバースト
的に発生することが多く、本来は、高速に、上りユーザデータの伝送速度を変更できるこ
とが望ましい。
【０００５】
しかしながら、図１５に示すように、従来の移動通信システムでは、無線回線制御局Ｒ
ＮＣが、通常、多くの無線基地局ＮｏｄｅＢを統括して制御しており、無線回線制御局Ｒ
ＮＣにおける処理負荷及び処理遅延が増加することが想定されることから、高速な（例え
ば、１〜１００ｍｓ程度の）上りユーザデータの伝送速度の変更制御を行うことは困難で
あるという問題点があった。
【０００６】
或いは、従来の移動通信システムにおいて、高速な上りユーザデータの伝送速度の変更
制御を行うことができたとしても、装置の実装コストやネットワークの運用コストが大幅
に高くなるという問題点があった。
【０００７】
そのため、従来の移動通信システムでは、数１００ｍｓから数ｓ秒オーダーで、上りユ
ーザデータの伝送速度の変更制御を行うのが通例である。
【０００８】
したがって、従来の移動通信システムでは、図１６（ａ）に示すように、バースト的な
データ送信を行う場合、図１６（ｂ）に示すように、低速、高遅延及び低伝送効率を許容
してデータを送信するか、又は、図１６（ｃ）に示すように、高速通信用の無線リソース
を確保して、空き時間の無線帯域リソースや無線基地局ＮｏｄｅＢにおけるハードウエア
リソースが無駄になるのを許容してデータを送信することとなる。
【０００９】
ただし、図１６において、縦軸の上り無線リソースには、上述の無線帯域リソース及び
ハードウエアリソースの両方が当てはめられるものとする。
【００１０】
そこで、第３世代移動通信システムの国際標準化団体である「３ＧＰＰ」及び「３ＧＰ
Ｐ２」において、上り無線リソースを有効利用するために、無線基地局ＮｏｄｅＢと移動
局ＵＥとの間のレイヤ１及びＭＡＣサブレイヤ（レイヤ２）における高速な上り無線リソ
ース制御方法が検討されてきた。以下、かかる検討又は検討された機能を総称して「上り
回線エンハンスメント（ＥＵＬ：Ｅｎｈａｎｃｅｄ  Ｕｐｌｉｎｋ）」と呼ぶこととする
。
【００１１】
上り回線エンハンスメントが適用されている移動通信システムでは、各上位レイヤフロ
ーに対して、無線基地局ＮｏｄｅＢによる送信割当に応じて送信するスケジュールド送信
、又は、無線基地局ＮｏｄｅＢによる送信割当に基づくことなく自動的に送信する非スケ
ジュールド送信のいずれかが行われる。
【００１２】
通常の上位レイヤフロー（上りユーザデータ）に対しては、スケジュールド送信が行わ
れるが、音声情報や制御情報等遅延の要求条件が厳しい上位レイヤフローに対しては、非
スケジュールド送信が行われる。
【００１３】
しかしながら、非スケジュールド送信は、ハードウエアリソースを予め確保しておく必
要があるため、むやみに非スケジュールド送信を行うと、ハードウエアリソースの浪費を
招く。
【００１４】
また、従来の上り回線エンハンスメントが適用されている移動通信システムでは、ＨＡ
ＲＱにおけるプロセスとして、非スケジュールド送信だけが行われる「非スケジュールド
送信予約プロセス」と、非スケジュールド送信がそのプロセス以外では行われない「非ス
ケジュールド送信制限プロセス」が存在した。
【００１５】
図１７に、６プロセスのＨＡＲＱにおいて、プロセス＃１及びプロセス＃２を「非スケ
ジュールド送信予約プロセス」とした場合の例を示す。
【００１６】
図１７に示すように、かかる場合、非スケジュールド送信は、全てのプロセスにおいて
行われ得るが、スケジュールド送信は、プロセス＃３乃至プロセス＃６においてのみ行わ
れ得る。
【００１７】
この結果、無線基地局ＮｏｄｅＢは、スケジュールド送信の伝送速度を、Ｅ-ＡＧＣＨ
（絶対伝送速度制御チャネル：Ｅｎｈａｎｃｅｄ  Ａｂｓｏｌｕｔｅ  Ｇｒａｎｔ  Ｃｈ
ａｎｎｅｌ）等で通知している上りユーザデータの絶対伝送速度よりも低く抑えることが
できる。
【００１８】
したがって、無線基地局ＮｏｄｅＢは、各移動局ＵＥに対して共通の上りユーザデータ
の絶対伝送速度を報知している場合においても、移動局ＵＥごとに異なるスケジュールド
送信の伝送速度で、上りユーザデータを伝送させることにより、各移動局ＵＥに対して適
切な上りユーザデータの伝送速度を割り当てることができる。
【００１９】
図１８に、６プロセスのＨＡＲＱにおいて、プロセス＃１及びプロセス＃２を「非スケ
ジュールド送信制限プロセス」とした場合の例を示す。
【００２０】
図１８に示すように、かかる場合、非スケジュールド送信は、プロセス＃１及びプロセ
ス＃２においてのみ行われ得る。
【００２１】
この結果、無線基地局ＮｏｄｅＢは、非スケジュールド送信が行われたプロセス＃１及
びプロセス＃２においてのみ、受信用ハードウエアリソースを用意しておけばよいため、
ハードウエアリソースを有効に利用することができる。
【非特許文献１】３ＧＰＰ  ＴＳＧ-ＲＡＮ  Ｒ２-０５１２８４
【発明の開示】
【発明が解決しようとする課題】
【００２２】
以上示したように、従来の上り回線エンハンスメントが適用されている移動通信システ
ムでは、ＨＡＲＱにおけるプロセスとして、非スケジュールド送信予約プロセスを用いる
ことにより、各移動局におけるスケジュールド送信の伝送速度を適切に設定することがで
きる一方、非スケジュールド送信制限プロセスを用いることにより、非スケジュールド送
信のために用意する受信用ハードウエアリソースの量を少なくすることができる。
【００２３】
しかしながら、従来の上り回線エンハンスメントが適用されている移動通信システムで
は、スケジュールド送信の伝送速度を適切に設定しつつ、非スケジュールド送信における
受信用ハードウエアリソースを低減できることができないという問題点があった。
【００２４】
そこで、本発明は、以上の点に鑑みてなされたもので、非スケジュールド送信における
受信用ハードウエアリソースを抑えつつ、スケジュールド送信の伝送速度を適切に設定す
ることを可能とする上りユーザデータの伝送制御方法、移動局、無線基地局及び無線回線
制御局を提供することを目的とする。
【課題を解決するための手段】
【００２５】
本発明の第１の特徴は、移動局から無線基地局に送信される上りユーザデータに対して
複数プロセスのＨＡＲＱを適用している移動通信システムにおける上りユーザデータの伝
送制御方法であって、無線回線制御局が、前記プロセスの各々を、前記無線基地局による
送信割当に応じて前記上りユーザデータを送信するスケジュールド送信が行われるスケジ
ュールド送信用プロセス、前記無線基地局による送信割当に基づくことなく自動的に前記
上りユーザデータを送信する非スケジュールド送信が行われる非スケジュールド送信用プ
ロセス、又は、該スケジュールド送信或いは該非スケジュールド送信が行われる両用プロ
セスのいずれかに分類する工程と、前記無線回線制御局が、前記移動局に対して、前記分
類結果を通知する工程と、前記移動局が、前記プロセスの各々において、通知された前記
分類結果に基づいて、前記スケジュールド送信又は前記非スケジュールド送信のいずれか
で、前記無線基地局に対して前記上りユーザデータを送信する工程とを有することを要旨
とする。
【００２６】
本発明の第２の特徴は、移動局から無線基地局に送信される上りユーザデータに対して
複数プロセスのＨＡＲＱを適用している移動通信システムで用いられる移動局であって、
無線回線制御局が、前記プロセスの各々を、前記無線基地局による送信割当に応じて前記
上りユーザデータを送信するスケジュールド送信が行われるスケジュールド送信用プロセ
ス、前記無線基地局による送信割当に基づくことなく自動的に前記上りユーザデータを送
信する非スケジュールド送信が行われる非スケジュールド送信用プロセス、又は、該スケ
ジュールド送信或いは該非スケジュールド送信が行われる両用プロセスのいずれかに分類
した結果を受信するように構成されている分類結果受信部と、前記プロセスの各々におい
て、前記無線回線制御局から通知された前記分類結果に基づいて、前記スケジュールド送
信又は前記非スケジュールド送信のいずれかで、前記無線基地局に対して前記上りユーザ
データを送信するように構成されている上りユーザデータ送信部とを具備することを要旨
とする。
【００２７】
本発明の第３の特徴は、移動局から無線基地局に送信される上りユーザデータに対して
複数プロセスのＨＡＲＱを適用している移動通信システムで用いられる無線基地局であっ
て、無線回線制御局が、前記プロセスの各々を、前記無線基地局による送信割当に応じて
前記上りユーザデータを送信するスケジュールド送信が行われるスケジュールド送信用プ
ロセス、前記無線基地局による送信割当に基づくことなく自動的に前記上りユーザデータ
を送信する非スケジュールド送信が行われる非スケジュールド送信用プロセス、又は、該
スケジュールド送信或いは該非スケジュールド送信が行われる両用プロセスのいずれかに
分類した結果を受信するように構成されている分類結果受信部と、前記プロセスの各々に
おいて、前記無線回線制御局から通知された前記分類結果に基づいて、前記移動局に対し
て前記上りユーザデータについての送信割当を行うように構成されている送信割当部とを
具備することを要旨とする。
【００２８】
本発明の第４の特徴は、移動局から無線基地局に送信される上りユーザデータに対して
複数プロセスのＨＡＲＱを適用している移動通信システムで用いられる無線回線制御局で
あって、前記プロセスの各々を、前記無線基地局による送信割当に応じて前記上りユーザ
データを送信するスケジュールド送信が行われるスケジュールド送信用プロセス、前記無
線基地局による送信割当に基づくことなく自動的に前記上りユーザデータを送信する非ス
ケジュールド送信が行われる非スケジュールド送信用プロセス、又は、該スケジュールド
送信或いは該非スケジュールド送信が行われる両用プロセスのいずれかに分類するように
構成されている分類部と、前記移動局に対して、前記分類結果を通知するように構成され
ている通知部とを具備することを要旨とする。
【発明の効果】
【００２９】
以上説明したように、本発明によれば、非スケジュールド送信における受信用ハードウ
エアリソースを抑えつつ、スケジュールド送信の伝送速度を適切に設定することを可能と
する上りユーザデータの伝送制御方法、移動局、無線基地局及び無線回線制御局を提供す
ることができる。
【発明を実施するための最良の形態】
【００３０】
（本発明の第１の実施形態に係る移動通信システムの構成）
図１乃至図１３を参照して、本発明の第１の実施形態に係る移動通信システムの構成に
ついて説明する。本実施形態に係る移動通信システムは、通信容量や通信品質等の通信性
能を向上させることを目的として設計されている。また、本実施形態に係る移動通信シス
テムは、第３世代移動通信システムである「Ｗ-ＣＤＭＡ」や「ＣＤＭＡ２０００」に適
応可能である。
【００３１】
図１に、本実施形態に係る移動局ＵＥの概要構成例を示す。図１に示すように、移動局
ＵＥは、バスインターフェース部１１と、呼処理制御部１２と、ベースバンド信号処理部
１３と、送受信部１４と、送受信アンテナ１５とを具備する。また、移動局ＵＥは、アン
プ部（図示せず）を具備するように構成されていてもよい。
【００３２】
ただし、これらの構成は、必ずしもハードウエアとして独立して存在している必要はな
い。すなわち、各構成が、合体していてもよいし、ソフトウエアのプロセスによって構成
されていてもよい。
【００３３】
図２に、ベースバンド信号処理部１３の機能ブロックを示す。図２に示すように、ベー
スバンド信号処理部１３は、上位レイヤ機能部１３１と、ＲＬＣサブレイヤとして機能す
るＲＬＣ機能部１３２と、ＭＡＣ-ｄ機能部１３３と、ＭＡＣ-ｅ機能部１３４と、レイヤ
１として機能するレイヤ１機能部１３５とを具備している。
【００３４】
図３に示すように、ＲＬＣ機能部１３２は、上位レイヤ機能部１３１から受信したアプ
リケーションデータ（ＲＬＣ  ＳＤＵ）を、予め決められたＰＤＵサイズに分割し、順序
整理処理や再送処理等に用いるＲＬＣヘッダを付与することによって、ＲＬＣ  ＰＤＵを
生成して、ＭＡＣ-ｄ機能部１３３に渡す。
【００３５】
ここで、ＲＬＣ機能部１３２とＭＡＣ-ｄ機能部１３３との間の橋渡しとして機能する
パイプを「論理チャネル」とする。論理チャネルは、送受信するデータの内容によって分
類され、通信を行う場合、１つのコネクションにおいて複数の論理チャネルを持つことが
可能である。すなわち、複数の内容のデータ（例えば、制御データ及びユーザデータ等）
を論理的に並列して送受信することができる。
【００３６】
ＭＡＣ-ｄ機能部１３３は、論理チャネルを多重し、かかる多重に伴うＭＡＣ-ｄヘッダ
を付与することによって、ＭＡＣ-ｄ  ＰＤＵを生成する。なお、複数のＭＡＣ-ｄ  ＰＤ
Ｕは、ＭＡＣ-ｄフローとして、ＭＡＣ-ｄ機能部１３３からＭＡＣ-ｅ機能部１３４に転
送されるものとする。
【００３７】
ＭＡＣ-ｅ機能部１３４は、ＭＡＣ-ｄ機能部１３３からＭＡＣ-ｄフローとして受信し
た複数のＭＡＣ-ｄ  ＰＤＵをまとめてＭＡＣ-ｅヘッダを付与することによって、トラン
スポートブロックを生成し、生成したトランスポートブロックを、トランスポートチャネ
ルを介してレイヤ１機能部１３５に渡す。
【００３８】
また、ＭＡＣ-ｅ機能部１３４は、ＭＡＣ-ｄ機能部１３３の下位レイヤとして機能する
ものであって、ハイブリッドＡＲＱ（ＨＡＲＱ）による再送制御機能や、伝送速度制御機
能を行うものである。
【００３９】
具体的には、ＭＡＣ-ｅ機能部１３４は、図４に示すように、多重部１３４ａと、Ｅ-Ｔ
ＦＣ選択部１３４ｂと、ＨＡＲＱ処理部１３４ｃとを具備している。
【００４０】
多重部１３４ａは、Ｅ-ＴＦＣ選択部１３４ｂから通知されたＥ-ＴＦＩ（Ｅｎｈａｎｃ
ｅｄ-Ｔｒａｎｓｐｏｒｔ  Ｆｏｒｍａｔ  Ｉｎｄｉｃａｔｏｒ）に基づいて、ＭＡＣ-ｄ
機能部１３３からＭＡＣ-ｄフローとして受信した上りユーザデータに対して多重化処理
を行い、トランスポートチャネル（Ｅ-ＤＣＨ）を介して送信すべき上りユーザデータ（
トランスポートブロック）を生成して、ＨＡＲＱ処理部１３４ｃに送信するように構成さ
れている。
【００４１】
以下、ＭＡＣ-ｄフローとして受信した上りユーザデータを「上りユーザデータ（ＭＡ
Ｃ-ｄフロー）」と示し、トランスポートチャネル（Ｅ-ＤＣＨ）を介して送信すべき上り
ユーザデータを「上りユーザデータ（Ｅ-ＤＣＨ）」と示す。
【００４２】
ここで、Ｅ-ＴＦＩは、トランスポートチャネル（Ｅ-ＤＣＨ）上でＴＴＩごとにトラン
スポートブロックを供給するフォーマットであるトランスポートフォーマットの識別子で
あり、上述のＭＡＣ-ｅヘッダに付与されるものである。
【００４３】
また、多重部１３４ａは、Ｅ-ＴＦＣ選択部１３４ｂから通知されたＥ-ＴＦＩに基づい
て、上りユーザデータに適用される送信データブロックサイズを判断して、ＨＡＲＱ処理
部１３４ｃに通知するように構成されている。
【００４４】
なお、多重部１３４ａは、ＭＡＣ-ｄ機能部１３３からＭＡＣ-ｄフローとして上りユー
ザデータを受信した場合、当該上りユーザデータ用のトランスポートフォーマットを選択
するためのＥ-ＴＦＣ選択情報を、Ｅ-ＴＦＣ選択部１３４ｂに通知するように構成されて
いる。
【００４５】
ここで、Ｅ-ＴＦＣ選択情報には、上りユーザデータのデータサイズや優先度クラス等
が該当する。
【００４６】
ＨＡＲＱ処理部１３４ｃは、Ｎチャネルのストップアンドウェイト（Ｎ-ＳＡＷ）プロ
トコルによって、レイヤ１機能部１３５から通知された上りユーザデータ用のＡＣＫ/Ｎ
ＡＣＫに基づいて、上りユーザデータ（Ｅ-ＤＣＨ）に係る再送制御処理を行うように構
成されている。ここで、図５に、４プロセスのＨＡＲＱの動作例を示す。
【００４７】
また、ＨＡＲＱ処理部１３４ｃは、多重部１３４ａから受信した上りユーザデータ（Ｅ
-ＤＣＨ）、及び、ＨＡＲＱ処理に用いられるＨＡＲＱ情報（例えば、再送番号等）を、
レイヤ１機能部１３５に送信するように構成されている。
【００４８】
また、ＨＡＲＱ処理部１３４ｃは、無線回線制御局ＲＮＣが、ＨＡＲＱにおける各プロ
セスを、無線基地局ＮｏｄｅＢによる送信割当に応じて上りユーザデータを送信するスケ
ジュールド送信が行われる「スケジュールド送信用プロセス」、無線基地局ＮｏｄｅＢに
よる送信割当に基づくことなく自動的に上りユーザデータを送信する非スケジュールド送
信が行われる「非スケジュールド送信用プロセス」、又は、スケジュールド送信或いは非
スケジュールド送信が行われる「両用プロセス」のいずれかに分類した結果を受信するよ
うに構成されている。
【００４９】
なお、無線基地局ＮｏｄｅＢによる送信割当は、後述するスケジューリング情報によっ
て通知されてもよいし、他の方法によって通知されてもよい。
【００５０】
そして、ＨＡＲＱ処理部１３４ｃは、各プロセスにおいて、無線回線制御局ＲＮＣから
通知された分類結果に基づいて、スケジュールド送信又は非スケジュールド送信のいずれ
かで、無線基地局ＮｏｄｅＢに対して上りユーザデータを送信するように構成されている
。
【００５１】
図６の例では、ＨＡＲＱ処理部１３４ｃは、無線回線制御局ＲＮＣからの通知によって
、６プロセスのＨＡＲＱにおいて、プロセス＃１及びプロセス＃２を「非スケジュールド
送信用プロセス」とし、プロセス＃３及びプロセス＃４を「スケジュールド送信用プロセ
ス」とし、プロセス＃５及びプロセス＃６を「両用プロセス」とするように決定している
。
【００５２】
かかる場合、プロセス＃１及びプロセス＃２では、上りユーザデータに対して非スケジ
ュールド送信が必ず行われるように構成されており、プロセス＃３及びプロセス＃４では
、上りユーザデータに対してスケジュールド送信が必ず行われるように構成されており、
プロセス＃５及びプロセス＃６では、上りユーザデータに対してスケジュールド送信又は
非スケジュールド送信のどちらが行われてもよいように構成されている。
【００５３】
Ｅ-ＴＦＣ選択部１３４ｂは、上りユーザデータ（Ｅ-ＤＣＨ）に適用するトランスポー
トフォーマット（Ｅ-ＴＦ）を選択することによって、当該上りユーザデータの伝送速度
を決定するように構成されている。
【００５４】
具体的には、Ｅ-ＴＦＣ選択部１３４ｂは、無線基地局ＮｏｄｅＢから受信したスケジ
ューリング情報（例えば、上りユーザデータの絶対伝送速度や相対伝送速度）や、ＭＡＣ
-ｄ機能部１３３から渡されたＭＡＣ-ｄ  ＰＤＵのデータ量（上りユーザデータのデータ
サイズ）や、ＭＡＣ-ｅ機能部１３４において管理されている無線基地局ＮｏｄｅＢのハ
ードウエアリソースの状態等に基づいて、上りユーザデータの送信実行又は送信停止を決
定し、さらに、当該上りユーザデータの送信に適用されるトランスポートフォーマット（
Ｅ-ＴＦ）を選択し、当該トランスポートフォーマットを識別するためのＥ-ＴＦＩをレイ
ヤ１機能部１３５及び多重部１３４ａに通知するように構成されている。
【００５５】
例えば、Ｅ-ＴＦＣ選択部１３４ｂは、上りユーザデータの伝送速度と、トランスポー
トフォーマットとを関連付けて記憶しており、レイヤ１機能部１３５からのスケジューリ
ング情報に基づいて上りユーザデータの伝送速度を更新して、更新した上りユーザデータ
の伝送速度に関連付けられているトランスポートフォーマットを識別するためのＥ-ＴＦ
Ｉをレイヤ１機能部１３５及び多重部１３４ａに通知するように構成されている。
【００５６】
ここで、Ｅ-ＴＦＣ選択部１３４ｂは、Ｅ-ＡＧＣＨを介して、スケジューリング情報と
して、上りユーザデータの絶対伝送速度を受信した場合、上りユーザデータの伝送速度を
当該上りユーザデータの絶対伝送速度に変更する。
【００５７】
また、Ｅ-ＴＦＣ選択部１３４ｂは、Ｅ-ＲＧＣＨを介して、スケジューリング情報とし
て、上りユーザデータの相対伝送速度（ＵＰコマンド又はＤＯＷＮコマンド）を受信した
場合、その時点における上りユーザデータの伝送速度を、上りユーザデータの相対伝送速
度に基づいて予め決められている速度だけ増加又は減少させる。
【００５８】
また、Ｅ-ＴＦＣ選択部１３４ｂは、Ｅ-ＲＧＣＨを介して、スケジューリング情報とし
て、上りユーザデータの相対伝送速度（ＨＯＬＤコマンド）を受信した場合、その時点に
おける上りユーザデータの伝送速度を変更することなく維持する。
【００５９】
ここで、ＵＰコマンドは、無線基地局ＮｏｄｅＢが移動局ＵＥにおける上りユーザデー
タの伝送速度を増加するように指示するための情報（＋１）であり、ＤＯＷＮコマンドは
、無線基地局ＮｏｄｅＢが移動局ＵＥにおける上りユーザデータの伝送速度を減少するよ
うに指示するための情報（−１）であり、ＨＯＬＤコマンドは、無線基地局ＮｏｄｅＢが
移動局ＵＥにおける上りユーザデータの伝送速度を維持するように指示するための情報（
０）である。
【００６０】
本明細書において、上りユーザデータの伝送速度は、Ｅ-ＤＰＤＣＨ（Ｅｎｈａｎｃｅ
ｄ  Ｄｅｄｉｃａｔｅｄ  Ｐｈｙｓｉｃａｌ  Ｄａｔａ  Ｃｈａｎｎｅｌ）を介して上り
ユーザデータを送信可能な速度であってもよいし、上りユーザデータを送信するための送
信データブロックサイズ（ＴＢＳ）であってもよいし、Ｅ-ＤＰＤＣＨの送信電力であっ
てもよいし、Ｅ-ＤＰＤＣＨとＤＰＣＣＨ（Ｄｅｄｉｃａｔｅｄ  Ｐｈｙｓｉｃａｌ  Ｃ
ｏｎｔｒｏｌ  Ｃｈａｎｎｅｌ）との送信電力比（送信電力オフセット）であってもよい
。
【００６１】
図７に示すように、レイヤ１機能部１３５は、伝送チャネル符号化部１３５ａと、物理
チャネルマッピング部１３５ｂと、Ｅ-ＤＰＤＣＨ送信部１３５ｃと、Ｅ-ＤＰＣＣＨ送信
部１３５ｄと、Ｅ-ＨＩＣＨ受信部１３５ｅと、Ｅ-ＲＧＣＨ受信部１３５ｆと、Ｅ-ＡＧ
ＣＨ受信部１３５ｇと、物理チャネルデマッピング部１３５ｈとを具備している。
【００６２】
伝送チャネル符号化部１３５ａは、図８に示すように、ＦＥＣ（Ｆｏｒｗａｒｄ  Ｅｒ
ｒｏｒ  Ｃｏｌｌｅｃｔｉｏｎ）符号化部１３５ａ１と、伝送速度整合部１３５ａ２とを
具備している。
【００６３】
図８に示すように、ＦＥＣ符号化部１３５ａ１は、ＭＡＣ-ｅ機能部１３４から送信さ
れた上りユーザデータ（Ｅ-ＤＣＨ）、すなわち、トランスポートブロックに対して、誤
り訂正符号化処理を施すように構成されている。
【００６４】
また、図８に示すように、伝送速度整合部１３５ａ２は、誤り訂正符号化処理を施した
トランスポートブロックに対して、物理チャネルの伝送容量に合わせるための「レペティ
ション（ビット繰り返し）」や「パンクチャ（ビットの間引き）」を施すように構成され
ている。
【００６５】
物理チャネルマッピング部１３５ｂは、伝送チャネル符号化部１３５ａからの上りユー
ザデータ（Ｅ-ＤＣＨ）をＥ-ＤＰＤＣＨにマッピングし、伝送チャネル符号化部１３５ａ
からのＥ-ＴＦＩ及びＨＡＲＱ情報をＥ-ＤＰＣＣＨにマッピングするように構成されてい
る。
【００６６】
Ｅ-ＤＰＤＣＨ送信部１３５ｃは、上述のＥ-ＤＰＤＣＨについての送信処理を行うよう
に構成されており、Ｅ-ＤＰＣＣＨ送信部１３５ｄは、上述のＥ-ＤＰＣＣＨについての送
信処理を行うように構成されている。
【００６７】
Ｅ-ＨＩＣＨ受信部１３５ｅは、無線基地局ＮｏｄｅＢから送信されたＥ-ＨＩＣＨ（Ｅ
-ＤＣＨ  ＨＡＲＱ  Ａｃｋｎｏｗｌｅｄｇｅｍｅｎｔ  Ｉｎｄｉｃａｔｏｒ  Ｃｈａｎ
ｎｅｌ）を受信するように構成されている。
【００６８】
Ｅ-ＲＧＣＨ受信部１３５ｆは、無線基地局ＮｏｄｅＢ（移動局ＵＥのサービングセル
及び非サービングセル）から送信されたＥ-ＲＧＣＨを受信するように構成されている。
【００６９】
また、Ｅ-ＡＧＣＨ受信部１３５ｇは、無線基地局ＮｏｄｅＢ（移動局ＵＥのサービン
グセル）から送信されたＥ-ＡＧＣＨを受信するように構成されている。
【００７０】
物理チャネルデマッピング部１３５ｈは、Ｅ-ＨＩＣＨ受信部１３５ｅにより受信され
たＥ-ＨＩＣＨに含まれる上りユーザデータ用のＡＣＫ/ＮＡＣＫを抽出してＭＡＣ-ｅ機
能部１３４に送信するように構成されている。
【００７１】
また、物理チャネルデマッピング部１３５ｈは、Ｅ-ＲＧＣＨ受信部１３５ｆにより受
信されたＥ-ＲＧＣＨに含まれるスケジューリング情報（上りユーザデータの相対伝送速
度、すなわち、ＵＰコマンド/ＤＯＷＮコマンド/ＨＯＬＤコマンド）を抽出してＭＡＣ-
ｅ機能部１３４に送信するように構成されている。
【００７２】
また、物理チャネルデマッピング部１３５ｈは、Ｅ-ＡＧＣＨ受信部１３５ｇにより受
信されたＥ-ＡＧＣＨに含まれるスケジューリング情報（上りユーザデータの絶対伝送速
度）を抽出してＭＡＣ-ｅ機能部１３４に送信するように構成されている。
【００７３】
図９は、本実施形態に係る無線基地局ＮｏｄｅＢの機能ブロック構成例である。図９に
示すように、本実施形態に係る無線基地局ＮｏｄｅＢは、ＨＷＹインターフェース２１と
、ベースバンド信号処理部２２と、送受信部２３と、アンプ部２４と、呼処理制御部２６
と、送受信アンテナ２５とを具備する。
【００７４】
ＨＷＹインターフェース２１は、当該無線基地局ＮｏｄｅＢの上位に位置する無線回線
制御局ＲＮＣから、送信すべき下りユーザデータを受信して、ベースバンド信号処理部２
２に入力するように構成されている。また、ＨＷＹインターフェース２１は、ベースバン
ド信号処理部２２からの上りユーザデータを、無線回線制御局ＲＮＣに送信するように構
成されている。
【００７５】
ベースバンド信号処理部２２は、下りユーザデータに対してチャネル符号化処理や拡散
処理等のレイヤ１処理を行った後、かかる下りユーザデータを含むベースバンド信号を送
受信部２３に送信するように構成されている。
【００７６】
また、ベースバンド信号処理部２２は、ベースバンド信号処理部２２からのベースバン
ド信号に対して、逆拡散処理やＲＡＫＥ合成処理や、誤り訂正復号化処理等のレイヤ１処
理を行った後、取得した上りユーザデータをＨＷＹインターフェース２１に送信するよう
に構成されている。
【００７７】
送受信部２３は、ベースバンド信号処理部２２からのベースバンド信号を無線周波数帯
信号に変換するように構成されている。また、送受信部２３は、アンプ部２４からの無線
周波数帯信号をベースバンド信号に変換するように構成されている。
【００７８】
アンプ部２４は、送受信部２３からの無線周波数帯信号を増幅して、送受信アンテナ２
５を介して送信するように構成されている。また、アンプ部２４は、送受信アンテナ２５
において受信された信号を増幅して送受信部２３に送信するように構成されている。
【００７９】
呼処理制御部２６は、無線回線制御局ＲＮＣとの間で、呼処理制御信号の送受信を行い
、当該無線基地局ＮｏｄｅＢの各機能部の状態管理や、レイヤ３によるハードウエアリソ
ース割り当て等の処理を行うように構成されている。
【００８０】
図１０は、ベースバンド信号処理部２２の機能ブロック図である。図９に示すように、
ベースバンド信号処理部２２は、レイヤ１機能部２２１と、ＭＡＣ-ｅ機能部２２２とを
具備している。
【００８１】
図１１に示すように、レイヤ１機能部２２１は、Ｅ-ＤＰＣＣＨ逆拡散・ＲＡＫＥ合成
部２２１ａと、Ｅ-ＤＰＣＣＨ復号部２２１ｂと、Ｅ-ＤＰＤＣＨ逆拡散・ＲＡＫＥ合成部
２２１ｃと、バッファ２２１ｄと、再逆拡散部２２１ｅと、ＨＡＲＱバッファ２２１ｆと
、誤り訂正復号部２２１ｇと、伝送チャネル符号化部２２１ｈと、物理マッピング部２２
１ｉと、Ｅ-ＨＩＣＨ送信部２２１ｊと、Ｅ-ＡＧＣＨ送信部２２１ｋと、Ｅ-ＲＧＣＨ送
信部２２１ｌとを具備している。
【００８２】
なお、これらの構成は、必ずしもハードウエアとして独立して存在している必要はない
。すなわち、各構成が、合体していてもよいし、ソフトウエアのプロセスによって構成さ
れていてもよい。
【００８３】
Ｅ-ＤＰＣＣＨ逆拡散・ＲＡＫＥ部２２１ａは、Ｅ-ＤＰＣＣＨに対して逆拡散処理及び
ＲＡＫＥ合成処理を施すように構成されている。
【００８４】
Ｅ-ＤＰＣＣＨ復号部２２１ｂは、Ｅ-ＤＰＣＣＨ逆拡散・ＲＡＫＥ部２２１ａからの出
力に基づいて、上りユーザデータの伝送速度を判定するためのＥ-ＴＦＣＩ（又は、Ｅ-Ｔ
ＦＲＩ：Ｅｎｈａｎｃｅｄ  Ｔｒａｎｓｐｏｒｔ  Ｆｏｒｍａｔ  ａｎｄ  Ｒｅｓｏｕｒ
ｃｅ  Ｉｎｄｉｃａｔｏｒ）を復号して、ＭＡＣ-ｅ機能部２２ｃに送信するように構成
されている。
【００８５】
Ｅ-ＤＰＤＣＨ逆拡散・ＲＡＫＥ合成部２２１ｃは、Ｅ-ＤＰＤＣＨに対して、Ｅ-ＤＰ
ＤＣＨが取り得る最高レートに対応する拡散率（最小の拡散率）及びマルチコード数を用
いて逆拡散処理を施して、バッファ２２１ｄに蓄積するように構成されている。かかる拡
散率及びマルチコード数を用いて逆拡散処理を行うことによって、移動局ＵＥが取り得る
最高レート（ビットレート）まで受信できるようにリソースを確保することができる。
【００８６】
再逆拡散部２２１ｅは、ＭＡＣ-ｅ機能部２２２から通知された拡散率及びマルチコー
ド数を用いて、バッファ２２１ｄに記憶されているデータに対して再逆拡散処理を施して
、ＨＡＲＱバッファ２２１ｆに蓄積するように構成されている。
【００８７】
誤り訂正復号部２２１ｇは、ＭＡＣ-ｅ機能部２２２から通知された符号化レートに基
づいて、バッファ２２１ｄに記憶されているデータに対して誤り訂正復号処理を施すこと
によって取得した上りユーザデータ（Ｅ-ＤＣＨ）をＭＡＣ-ｅ機能部２２２に送信するよ
うに構成されている。
【００８８】
伝送チャネル符号化部２２１ｈは、ＭＡＣ-ｅ機能部２２２から受信した上りユーザデ
ータ用のＡＣＫ/ＮＡＣＫ及びスケジューリング情報について、必要な符号化処理を施す
ように構成されている。
【００８９】
物理チャネルマッピング部２２１ｉは、伝送チャネル符号化部２２１ｈからの上りユー
ザデータ用のＡＣＫ/ＮＡＣＫをＥ-ＨＩＣＨにマッピングし、伝送チャネル符号化部２２
１ｈからのスケジューリング情報（絶対伝送速度）をＥ-ＡＧＣＨにマッピングし、伝送
チャネル符号化部２２１ｈからのスケジューリング情報（相対伝送速度）をＥ-ＲＧＣＨ
にマッピングするように構成されている。
【００９０】
Ｅ-ＨＩＣＨ送信部２２１ｊは、上述のＥ-ＨＩＣＨについての送信処理を行うように構
成されており、Ｅ-ＡＧＣＨ送信部２２１ｋは、上述のＥ-ＡＧＣＨについての送信処理を
行うように構成されており、Ｅ-ＲＧＣＨ送信部２２１ｌは、上述のＥ-ＲＧＣＨについて
の送信処理を行うように構成されている。
【００９１】
Ｅ-ＡＧＣＨ送信部２２１ｋは、Ｅ-ＤＰＣＨの送信時間間隔と、Ｅ-ＡＧＣＨの送信時
間間隔とが異なるように設定する。そして、Ｅ-ＡＧＣＨ送信部２２１ｋは、設定したＥ-
ＡＧＣＨの送信時間間隔で、上りユーザデータの絶対伝送速度を送信する。
【００９２】
図１２に示すように、ＭＡＣ-ｅ機能部２２２は、ＨＡＲＱ処理部２２２ａと、受信処
理命令部２２２ｂと、スケジューリング部２２２ｃと、多重化解除部２２２ｄとを具備し
ている。
【００９３】
ＨＡＲＱ処理部２２２ａは、レイヤ１機能部２２１から受信した上りユーザデータ（Ｅ
-ＤＣＨ）及びＨＡＲＱ情報を受信して、当該上りユーザデータ（Ｅ-ＤＣＨ）についての
ＨＡＲＱ処理を行うように構成されている。
【００９４】
また、ＨＡＲＱ処理部２２２ａは、当該上りユーザデータ（Ｅ-ＤＣＨ）についての受
信処理結果を示すＡＣＫ/ＮＡＣＫ（上りユーザデータ用）をレイヤ１機能部２２１に通
知するように構成されている。また、ＨＡＲＱ処理部２２２ａは、プロセスごとのＡＣＫ
/ＮＡＣＫ（上りユーザデータ用）をスケジューリング部２２２ｃに通知するように構成
されている。
【００９５】
また、ＨＡＲＱ処理部２２２ａは、無線回線制御局ＲＮＣが、ＨＡＲＱにおける各プロ
セスを、スケジュールド送信用プロセス、非スケジュールド送信用プロセス、又は、両用
プロセスのいずれかに分類した結果を受信するように構成されている。
【００９６】
そして、ＨＡＲＱ処理部２２２ａは、各プロセスにおいて、無線回線制御局ＲＮＣから
通知された分類結果に基づいて、移動局ＵＥに対して上りユーザデータについての送信割
当を行うように構成されている。
【００９７】
例えば、ＨＡＲＱ処理部２２２ａは、スケジュールド送信用プロセス又は両用プロセス
のいずれかに分類されたプロセスにおいてのみ、移動局ＵＥに対して上りユーザデータに
ついての送信割当を行い、非スケジュールド送信用プロセスに分類されたプロセスにおい
ては、移動局ＵＥに対して上りユーザデータについての送信割当を行わないように構成さ
れていてもよい。
【００９８】
受信処理命令部２２２ｂは、レイヤ１機能部２２１のＥ-ＤＰＣＣＨ復号部２２１ｂか
ら受信したＴＴＩごとのＥ-ＴＦＣＩによって特定された各移動局ＵＥのトランスポート
フォーマットに係る拡散率及びマルチコード数を再逆拡散部２２１ｅ及びＨＡＲＱバッフ
ァ２２１ｆに通知し、符号化レートを誤り訂正復号部２２１ｇに通知するように構成され
ている。
【００９９】
スケジューリング部２２２ｃは、レイヤ１機能部２２１のＥ-ＤＰＣＣＨ復号部２２１
ｂから受信したＴＴＩごとのＥ-ＴＦＣＩや、ＨＡＲＱ処理部２２２ａから受信したプロ
セスごとのＡＣＫ/ＮＡＣＫや、干渉レベル等に基づいて、上述の上りユーザデータの絶
対伝送速度又は相対伝送速度を変更するように構成されている。
【０１００】
なお、スケジューリング部２２２ｃは、スケジューリング情報として、かかる上りユー
ザデータの絶対伝送速度又は相対伝送速度を、ＤＣＨを介してレイヤ１機能部２２１に通
知するように構成されている。
【０１０１】
なお、スケジューリング部２２２ｃは、スケジューリング情報として、上述の移動局Ｕ
Ｅに対する上りユーザデータについての送信割当結果を、ＤＣＨを介してレイヤ１機能部
２２１に通知するように構成されていてもよい。
【０１０２】
多重化解除部２２２ｄは、ＨＡＲＱ処理部２２２ａから受信した上りユーザデータ（Ｅ
-ＤＣＨ）に対して多重化解除処理を施すことによって取得した上りユーザデータをＨＷ
Ｙインターフェース２１に送信するように構成されている。
【０１０３】
本実施形態に係る無線回線制御局ＲＮＣは、無線基地局ＮｏｄｅＢの上位に位置する装
置であり、無線基地局ＮｏｄｅＢと移動局ＵＥとの間の無線通信を制御するように構成さ
れている。
【０１０４】
図１３に示すように、本実施形態に係る無線回線制御局ＲＮＣは、交換局インターフェ
ース３１と、ＬＬＣレイヤ処理部３２と、ＭＡＣレイヤ処理部３３と、メディア信号処理
部３４と、無線基地局インターフェース３５と、呼処理制御部３６とを具備している。
【０１０５】
交換局インターフェース３１は、交換局１とのインターフェースである。交換局インタ
ーフェース３１は、交換局１から送信された下りリンク信号をＬＬＣレイヤ処理部３２に
転送し、ＬＬＣレイヤ処理部３２から送信された上りリンク信号を交換局１に転送するよ
うに構成されている。
【０１０６】
ＬＬＣレイヤ処理部３２は、シーケンスパターン番号等のヘッダ又はトレーラの合成処
理等のＬＬＣ（論理リンク制御：Ｌｏｇｉｃａｌ  Ｌｉｎｋ  Ｃｏｎｔｒｏｌ）サブレイ
ヤ処理を施すように構成されている。ＬＬＣレイヤ処理部３２は、ＬＬＣサブレイヤ処理
を施した後、上りリンク信号については交換局インターフェース３１に送信し、下りリン
ク信号についてはＭＡＣレイヤ処理部３３に送信するように構成されている。
【０１０７】
ＭＡＣレイヤ処理部３３は、優先制御処理やヘッダ付与処理等のＭＡＣレイヤ処理を施
すように構成されている。ＭＡＣレイヤ処理部３３は、ＭＡＣレイヤ処理を施した後、上
りリンク信号についてはＬＬＣレイヤ処理部３２に送信し、下りリンク信号については無
線基地局インターフェース３５（又は、メディア信号処理部３４）に送信するように構成
されている。
【０１０８】
メディア信号処理部３４は、音声信号やリアルタイムの画像信号に対して、メディア信
号処理を施すように構成されている。メディア信号処理部３４は、メディア信号処理を施
した後、上りリンク信号についてはＭＡＣレイヤ処理部３３に送信し、下りリンク信号に
ついては無線基地局インターフェース３５に送信するように構成されている。
【０１０９】
無線基地局インターフェース３５は、無線基地局ＮｏｄｅＢとのインターフェースであ
る。無線基地局インターフェース３５は、無線基地局ＮｏｄｅＢから送信された上りリン
ク信号をＭＡＣレイヤ処理部３３（又は、メディア信号処理部３４）に転送し、ＭＡＣレ
イヤ処理部３３（又は、メディア信号処理部３４）から送信された下りリンク信号を無線
基地局ＮｏｄｅＢに転送するように構成されている。
【０１１０】
呼処理制御部３６は、無線リソース管理処理や、レイヤ３シグナリングによるチャネル
の設定及び開放処理等を施すように構成されている。ここで、無線リソース管理には、呼
受付制御やハンドオーバー制御等が含まれる。
【０１１１】
また、呼処理制御部３６は、ＨＡＲＱにおける各プロセスを、スケジュールド送信用プ
ロセス、非スケジュールド送信用プロセス、又は、両用プロセスのいずれかに分類するよ
うに構成されている。
【０１１２】
そして、呼処理制御部３６は、移動局ＵＥと無線基地局ＮｏｄｅＢとの間の通信開始時
に、当該移動局ＵＥ及び当該無線基地局ＮｏｄｅＢに対して、上述の分類結果を通知する
ように構成されている。
【０１１３】
（本発明の第１の実施形態に係る移動通信システムの動作）
以下、図１４を参照して、本実施形態に係る移動通信システムの動作について説明する
。具体的には、本実施形態に係る移動通信システムにおいて、上りユーザデータの伝送制
御を行う動作について説明する。
【０１１４】
図１４に示すように、ステップＳ１０００において、移動局ＵＥが、無線回線制御局Ｒ
ＮＣに対して、無線基地局ＮｏｄｅＢとの間の無線通信を開始するための発信要求を送信
する。
【０１１５】
ステップＳ１００１において、無線回線制御局ＲＮＣは、移動局ＵＥ及び無線基地局Ｎ
ｏｄｅＢに対して、ＨＡＲＱにおける各プロセスについての分類結果（スケジュールド送
信用プロセス、非スケジュールド送信用プロセス、又は、両用プロセス）を通知する。
【０１１６】
ステップＳ１００２において、移動局ＵＥと無線基地局ＮｏｄｅＢとの間の無線通信が
開始される。
【０１１７】
ステップＳ１００３において、移動局ＵＥは、各プロセスに適用されているプロセスの
種類（スケジュールド送信用プロセス、非スケジュールド送信用プロセス、又は、両用プ
ロセス）に応じて、当該プロセスにおいて、スケジュールド送信を行うのか、或いは、ス
ケジュールド送信を行うのかについて決定する。
【０１１８】
ステップＳ１００４において、移動局ＵＥは、上述の決定結果に応じて、スケジュール
ド送信または非スケジュールド送信で、上りユーザデータを無線基地局ＮｏｄｅＢに対し
て送信する。
【０１１９】
（本発明の第１の実施形態に係る移動通信システムの作用・効果）
本実施形態に係る移動通信システムによれば、移動局ＵＥが、無線回線制御局ＲＮＣに
よって分類されたプロセスの種類に応じて、スケジュールド送信または非スケジュールド
送信で、無線基地局ＮｏｄｅＢに対して上りユーザデータを送信するように構成されてい
るため、非スケジュールド送信における受信用ハードウエアリソースを抑えつつ、スケジ
ュールド送信の伝送速度を適切に設定することができる。
【図面の簡単な説明】
【０１２０】
【図１】本発明の第１の実施形態に係る移動局の機能ブロック図である。
【図２】本発明の第１の実施形態に係る移動局のベースバンド信号処理部の機能ブロック図である。
【図３】本発明の第１の実施形態に係る移動局のベースバンド信号処理部の機能を説明するための図である。
【図４】本発明の第１の実施形態に係る移動局のベースバンド信号処理部におけるＭＡＣ-ｅ機能部の機能ブロック図である
【図５】本発明の第１の実施形態に係る移動局のベースバンド信号処理部におけるＭＡＣ-ｅ機能部のＨＡＲＱ処理部によって行われる４プロセスのＨＡＲＱの動作例を示す図である。
【図６】本発明の第１の実施形態に係る移動局のベースバンド信号処理部におけるＭＡＣ-ｅ機能部のＨＡＲＱ処理部によって行われる６プロセスのＨＡＲＱの動作例を示す図である。
【図７】本発明の第１の実施形態に係る移動局のベースバンド信号処理部におけるレイヤ１機能部の機能ブロック図である。
【図８】本発明の第１の実施形態に係る移動局のベースバンド信号処理部におけるレイヤ１機能部の機能を説明するための図である。
【図９】本発明の第１の実施形態に係る無線基地局の機能ブロック図である。
【図１０】本発明の第１の実施形態に係る無線基地局のベースバンド信号処理部の機能ブロック図である。
【図１１】本発明の第１の実施形態に係る無線基地局のベースバンド信号処理部におけるレイヤ１機能部の機能ブロック図である。
【図１２】本発明の第１の実施形態に係る無線基地局のベースバンド信号処理部におけるＭＡＣ-ｅ機能部の機能ブロック図である。
【図１３】本発明の第１の実施形態に係る無線回線制御局の機能ブロック図である。
【図１４】本発明の第１の実施形態に係る移動通信システムにおける伝送制御方法の動作を示すシーケンス図である。
【図１５】一般的な移動通信システムの全体構成図である。
【図１６】従来技術に係る移動通信システムにおいて上りユーザデータの伝送速度を制御する方法を説明するための図である。
【図１７】従来技術に係る６プロセスのＨＡＲＱの動作例を示す図である。
【図１８】従来技術に係る６プロセスのＨＡＲＱの動作例を示す図である。
【符号の説明】
【０１２１】
１…交換局、ＵＥ…移動局、１１…バスインターフェース、１２…呼処理制御部、１３…
ベースバンド信号処理部、１３１…上位レイヤ機能部、１３２…ＲＬＣ機能部、１３３…
ＭＡＣ-ｄ機能部、１３４…ＭＡＣ-ｅ機能部、１３４ａ…多重部、１３４ｂ…Ｅ-ＴＦＣ
選択部、１３４ｃ…ＨＡＲＱ処理部、１３５…レイヤ１機能部、１３５ａ…伝送チャネル
符号化部、１３５ｂ…物理チャネルマッピング部、１３５ｃ…Ｅ-ＤＰＤＣＨ送信部、１
３５ｄ…Ｅ-ＤＰＣＣＨ送信部、１３５ｅ…Ｅ-ＨＩＣＨ受信部、１３５ｆ…Ｅ-ＲＧＣＨ
受信部、１３５ｇ…Ｅ-ＡＧＣＨ受信部、１３５ｈ…物理チャネルデマッピング部、１４
…送受信部、１５…送受信アンテナ、ＮｏｄｅＢ…無線基地局、２１…ＨＷＹインターフ
ェース、２２…ベースバンド信号処理部、２２１…レイヤ１機能部、２２１ａ…Ｅ-ＤＰ
ＣＣＨ逆拡散・ＲＡＫＥ合成部、２２１ｂ…Ｅ-ＤＰＣＣＨ復号部、２２１ｃ…Ｅ-ＤＰＤ
ＣＨ逆拡散・ＲＡＫＥ合成部、２２１ｄ…バッファ、２２１ｅ…再逆拡散部、２２１ｆ…
ＨＡＲＱバッファ、２２１ｇ…誤り訂正復号部、２２１ｈ…伝送チャネル符号化部、２２
１ｉ…物理チャネルマッピング部、２２１ｊ…Ｅ-ＨＩＣＨ送信部、２２１ｋ…Ｅ-ＡＧＣ
Ｈ送信部、２２１ｌ…Ｅ-ＲＧＣＨ送信部、２２２…ＭＡＣ-ｅ機能部、２２２ａ…ＨＡＲ
Ｑ処理部、２２２ｂ…受信処理命令部、２２２ｃ…スケジューリング部、２２２ｄ…多重
化解除部、２３…送受信部、２４…アンプ部、２５…送受信アンテナ、２６…呼処理制御
部、ＲＮＣ…無線回線制御局、３１…交換局インターフェース、３２…ＬＬＣレイヤ機能
部、３３…ＭＡＣレイヤ機能部、３４…メディア信号処理部、３５…無線基地局インター
フェース、３６…呼処理制御部
【図１】
0004684045.tif 000002
【図２】
0004684045.tif 000003
【図３】
0004684045.tif 000004
【図４】
0004684045.tif 000005
【図５】
0004684045.tif 000006
【図６】
0004684045.tif 000007
【図７】
0004684045.tif 000008
【図８】
0004684045.tif 000009
【図９】
0004684045.tif 000010
【図１０】
0004684045.tif 000011
【図１１】
0004684045.tif 000012
【図１２】
0004684045.tif 000013
【図１３】
0004684045.tif 000014
【図１４】
0004684045.tif 000015
【図１５】
0004684045.tif 000016
【図１６】
0004684045.tif 000017
【図１７】
0004684045.tif 000018
【図１８】
0004684045.tif 000019